(57)【要約】【課題】  筐体を大きくすることなく、高いアンテナ性能を維持しかつ繰り返し開閉動作を行っても安定した開閉動作が可能な折り畳み式携帯無線機を提供すること。【解決手段】  第１筐体１０１内にアンテナ素子１２１、第２筐体１０２内に無線回路１１３、２つの筐体をつなぐヒンジ部１００がある。第１筐体１０１には円筒状軸受け１０１ｂが設けられ、その近傍には金属板１１７配置され、アンテナ素子１２１と電気的に接続されている、円筒状軸受け部１０１ｂと絶縁性円筒軸１０４は回転摺動面１０４ａで摺動する。金属部材１０５は絶縁性円筒軸１０４の内側に固定されるとともに、回転摺動面１０４ａと隣り合う位置に露出面１０５ａを有し、その部分で金属板１１７との間で容量結合している。【選択図】  図３
2012216977.tif 000002
【特許請求の範囲】
【請求項１】
第１筐体と第２筐体とがヒンジ部によって開閉自在に連結された折り畳み式携帯無線機であって、
前記ヒンジ部内にあり、前記第１筐体に設けられた円筒状軸受けと、
前記ヒンジ部内にあり、前記円筒状軸受けと回転摺動する面を有する絶縁性円筒軸と、
前記絶縁性円筒軸の内側に固定されるとともに、前記回転摺動面と隣り合う位置に露出面を有する金属部材とを備えたことを特徴とする折り畳み式携帯無線機。
【請求項２】
前記金属部材の露出面が円筒状表面であることを特徴とする請求項１記載の折り畳み式携帯無線機。
【請求項３】
前記円筒状表面の少なくとも一部に円筒面から凹んだ部分を有することを特徴とする請求項２記載の折り畳み式携帯無線機。
【請求項４】
前記円筒状軸受け部と前記絶縁性円筒軸の各々の摺動面がテーパ形状をなしていることを特徴とする請求項１記載の折り畳み式携帯無線機。
【請求項５】
第１筐体と第２筐体とがヒンジ部によって開閉自在に連結された折り畳み式携帯無線機であって、
前記第１筐体内に設けられたアンテナ素子と、
前記第２筐体内に設けられた無線回路と、
前記ヒンジ部内にあり、前記第１筐体に設けられた円筒状軸受けと、
前記第1筐体内にあり円筒状軸受けの近傍に配置され、前記アンテナ素子と電気的に接続された金属板と、
前記ヒンジ部内にあり、前記円筒状軸受けと回転摺動する面を有する絶縁性円筒軸と、
前記絶縁性円筒軸の内側に固定されるとともに、前記回転摺動面と隣り合う位置に露出面を有する金属部材と、
前記金属部材は、前記無線回路と電気的に接続されるとともに、前記アンテナ素子に電気的に接続された前記金属板との間で前記露出面にて容量結合していることを特徴とする折り畳み式携帯無線機。
【請求項６】
前記金属部材の露出面が円筒状表面であることを特徴とする請求項５記載の折り畳み式携帯無線機。
【請求項７】
前記円筒状表面の少なくとも一部に円筒面から凹んだ部分を有することを特徴とする請求項６記載の折り畳み式携帯無線機。
【請求項８】
前記円筒状軸受け部と前記絶縁性円筒軸の各々の摺動面がテーパ形状をなしていることを特徴とする請求項５記載の折り畳み式携帯無線機。
【請求項９】
前記金属部材の露出面から延伸した部分が前記絶縁性円筒軸に固定されていることを特徴とする請求項５記載の折り畳み式携帯無線機。
【発明の詳細な説明】
【技術分野】
【０００１】
本発明は、携帯電話機等の携帯無線機に関し、特に、ヒンジ部を介して２つの筐体を開閉自在に連結した折り畳み式携帯無線機に関する。
【背景技術】
【０００２】
近年、携帯電話機などの携帯無線機には折り畳み可能な構造を有するものが広く普及している。このような構造も持つものとしては一般的に上部筐体と下部筐体とがヒンジを介して連結され開閉自在となる構造を有しており、開いた状態と閉じた状態の２つの形態をとることが出来る。
【０００３】
このような折り畳み式携帯無線機では、折り畳んだ状態ではコンパクトな形態を取れる為、カバンや洋服のポケットに収納しやすく、開いた状態では表示画面と操作部を上下筐体に各々配置することで使用できる部分の表面積を大きくできる。
このため表示画面を大型化させ視認性を向上させたり、操作ボタンのレイアウトに余裕を持たせることで操作性を向上させることが出来るなどの利点がある。また、筐体の薄型化、小型化のためアンテナの内蔵化も行われている。
【０００４】
アンテナ内蔵化の例として、特許文献１では第１の筐体に内蔵され、アンテナとして動作する板状のエレメントと、第２の筐体に内蔵された、送受信回路とが給電線で接続されている形態が提案されている。しかしながら、給電線がヒンジ部内を通る構造であるために、給電線が、その他の導電線による影響や、ヒンジ部による影響を受けて、アンテナ性能が劣化してしまう課題がある。
これに対して、特許文献２では一方の筐体にある給電部からもう一方の筐体にあるアンテナ素子へ給電線で接続する代わりに金属製のヒンジ部を介して信号の受け渡しをする構造が提案されている。
【０００５】
一般的には、下部筐体内に設けられ、グランドパターンを有する回路基板の無線部に接続された給電手段からヒンジ部に給電し、ヒンジ部を上部筐体のフレームに導通させて、フレームをアンテナ素子とし、フレーム、ヒンジ部およびグランドパターンをダイポールアンテナとして動作させる構造が知られている。ここでヒンジ部は金属製のトルク発生機構を有するヒンジ軸ユニットを用い、この軸の両端を上筐体、下筐体に各々固定することで上下筐体を回動自在にする場合が多い。
【０００６】
ヒンジ軸ユニットは軸形状であって軸方向中央部を境にして両端がねじれるように回転動作するもので、バネとカムが内蔵されて、筐体の開き位置、閉じ位置でトルクを発生させるようになっている。また内部では電気的導通が維持される構造になっている。
一方、特許文献３のように、トルク発生機構を有するヒンジ側の他端にすべり軸受けを使用し、組立て性、コストを改善する例もある。
【先行技術文献】
【特許文献】
【０００７】
【特許文献１】特開２００１−１５６８９８号公報
【特許文献２】特開２００５−６０９６号公報
【特許文献３】特開２００５−５１６５５号公報
【発明の概要】
【発明が解決しようとする課題】
【０００８】
近年、携帯端末の小型軽量化のためヒンジ軸ユニットも小型にすることが望まれている。そこで、小型のヒンジ部の動作を安定させるため、ヒンジ部の一端側にはヒンジ軸ユニットを配置し、他端側にはすべり軸受けを配置するのが一般的である。また、軸受けの中を、上下筐体に配置された回路基板をつなぐ柔軟性のある信号線を挿通させることにより、上下筐体間のデータ受け渡しが可能となる。
また、近年、これらの通信端末においては高機能化のため複数の無線アンテナを内蔵する必要がある。
【０００９】
そこで、ヒンジ軸ユニット側だけでなく、軸受け側でも同様に軸受けを金属にしてダイポールアンテナ構造にすることが考えられる。しかしながら、すべり軸受けを使用する為、金属にした場合、摺動動作によって、相手の樹脂部材から発生する樹脂の削り粉により摺動抵抗が増大したり、上部筐体と下部筐体との開閉時にキシミ音が発生するといった課題がある。
【００１０】
本発明は上述のような課題に鑑みてなされたものであり、筐体を大きくすることなく、高いアンテナ性能を維持しかつ繰り返し開閉動作を行っても安定した開閉動作が可能な折り畳み式携帯無線機を提供することを目的とする。
【課題を解決するための手段】
【００１１】
本発明の折り畳み式携帯無線機は、第１筐体と第２筐体とがヒンジ部によって開閉自在に連結された折り畳み式携帯無線機であって、前記ヒンジ部内にあり、前記第１筐体に設けられた円筒状軸受けと、前記ヒンジ部内にあり、前記円筒状軸受けと回転摺動する面を有する絶縁性円筒軸と、前記絶縁性円筒軸の内側に固定されるとともに、前記回転摺動面と隣り合う位置に露出面を有する金属部材とを備えたことを特徴とする折り畳み式携帯無線機である。
【００１２】
上述の構成によれば、開閉動作によって、摺動部から樹脂の削り粉が発生した場合でも、樹脂の削り粉は金属部材の露出面に付着する。詳しく説明すれば、発生した前記樹脂の削り粉はヒンジの開閉動作によってヒンジ部内を移動する。その際、移動時にヒンジ部の部材と接触するため摩擦帯電してしまう。このため前記金属部材の露出面に接触するとクーロン力により強固に付着し、ヒンジ部内を自由に移動することなく前記金属部材の露出面に保持される。このため、樹脂の削り粉が摺動部に舞い戻ってしまうことがなくなり、摺動抵抗の増大や摺動時のキシミ音の発生を抑制することが出来る。
さらには金属部材の露出面と対向する部材とは離間しており、両者の間には空隙があるため樹脂の削り粉があってもそれが開閉動作時の抵抗になることはない。
【００１３】
また、本発明では、前記折り畳み式携帯無線機において、前記金属部材の露出面が円筒状表面を有している。
【００１４】
この構成によれば、前記金属部材の露出面の表面積を広くとることができ、多くの発生した樹脂粉を表面に付着させることが可能となる。
【００１５】
また、本発明では、前記折り畳み式携帯無線機において、前記金属部材の露出面が円筒状表面を有するとともに、前記円筒状表面の少なくとも一部に円筒面から凹んだ部分を有する。
【００１６】
この構成によれば、多量の樹脂粉が前記金属部材の露出面に付着した場合でも、樹脂粉が凹みにたまることで、樹脂粉は他の部分に移動することがない。
【００１７】
また、本発明では、前記折り畳み式携帯無線機において、前記円筒状軸受け部と前記絶縁性円筒軸の各々の摺動面は緩やかなテーパ形状をなしている。
【００１８】
この構成によれば、回転摺動動作時、前記円筒状軸受け部の内壁には前記絶縁性円筒軸の外周を押し返す力が働くが、テーパがあることで両者の間では軸方向にも力が発生する。このため、前記円筒状軸受け部に対して前記絶縁性円筒軸は軸方向で微小に動作する。このことから樹脂粉の摺動面からの掃きだし効果が生じ、前記金属部材の露出面に樹脂粉が移動しやすくなる。
【００１９】
また、本発明では、第１筐体と第２筐体とがヒンジ部によって開閉自在に連結された折り畳み式携帯無線機であって、前記第１筐体内に設けられたアンテナ素子と、前記第２筐体内に設けられた無線回路と、前記ヒンジ部内にあり、前記第１筐体に設けられた円筒状軸受けと、前記第1筐体内にあり円筒状軸受けの近傍に配置され、前記アンテナ素子と電気的に接続された金属板と前記ヒンジ部内にあり、前記円筒状軸受けと回転摺動する面を有する絶縁性円筒軸と、前記絶縁性円筒軸の内側に固定されるとともに、前記回転摺動面と隣り合う位置に露出面を有する金属部材と、前記金属部材は、前記無線回路と電気的に接続されるとともに、前記アンテナ素子に電気的に接続された前記金属板との間で前記露出面にて容量結合している。
【００２０】
この構成によれば、容量結合によりアンテナ信号の受け渡しをしていることから、金属同士の接点に樹脂粉が入り込んで接触不良を発生させるようなこともない。
【００２１】
また、本発明では、前記折り畳み式携帯無線機において、前記金属部材の露出面から延伸した部分が前記絶縁性円筒軸に固定されている。
【００２２】
この構成によれば、前記絶縁性円筒軸と前記円筒状軸受けは回転摺動可能なようにガタ無く嵌め合わさっていることから、前記絶縁性円筒軸に固定されている前記金属部材と前記金属板との距離も変動することが無く、容量結合部の容量性リアクタンスが変動することなく安定したアンテナ性能を維持できる。
【発明の効果】
【００２３】
本発明に係る折り畳み式携帯無線機によれば、筐体を大きくすることなく、繰り返し開閉動作を行っても安定した開閉動作ができるという効果を奏する。
【図面の簡単な説明】
【００２４】
【図１】本発明の実施形態における折り畳み式携帯無線機の閉じた状態を示す斜視図
【図２】本発明の実施形態における折り畳み式携帯無線機の開いた状態を示す斜視図
【図３】本発明の実施形態における折り畳み式携帯無線機のヒンジ部の内部構成を示す平面図
【図４】本発明の実施形態における折り畳み式携帯無線機のヒンジ部内部で発生した樹脂削り粉の付着状態を示す平面図
【図５】本発明の実施形態における折り畳み式携帯無線機の絶縁性円筒軸部の一実施例を示す平面図
【図６】本発明の実施形態における折り畳み式携帯無線機の絶縁性円筒軸部の一実施例を示す平面図
【発明を実施するための形態】
【００２５】
以下、本発明の一実施形態を図面を参照して説明する。
図１は本発明の一実施形態に掛かる折り畳み式携帯無線機の閉じた状態を示す斜視図である。
図２は本発明の一実施形態に掛かる折り畳み式携帯無線機の開いた状態を示す斜視図である。
【００２６】
図１乃至図２に示すように、折り畳み式携帯無線機１００は、第１筐体（上部筐体）１０１と第２筐体（下部筐体）１０２とがヒンジ部１３０によって回転自在に連結され、ヒンジ部１３０を中心に回動することで、開状態と閉状態の２つの形態をとることが出来る。ここでは第１筐体１０１と第２筐体１０２とが折り畳まれた状態が閉状態、展開された状態が開状態である。なお、ヒンジ部１３０は第１筐体１０１および第２筐体１０２に渡って形成されるものである。第１筐体１０１の一端（第２筐体１０２と連結する端面）の中央部には半円筒状の凸部１３１が形成されている。第２筐体１０２にある前記凸部１３１に対向する一端には凹部１３２が形成されている。第１筐体の凸部１３１と第２筐体の凹部１３２が係合することでヒンジ部１３０を形成している。
【００２７】
第１筐体１０１の表面（閉状態で第２筐体に対向する面）には主として第１液晶表示部１５０、受話部（レシーバー）１７０等が配置されている。
第１筐体１０１の裏面には主として第２液晶表示部１５１が配置されている。
第２筐体の表面（閉状態で第１筐体に対向する面）には主として、送話部（マイクロフォン）１６０、情報入力ボタン１４０等が配置されている。
第２筐体の裏面には図示しないがスピーカー、バッテリーカバーが配置され、その内部にはバッテリーが内蔵されている。
【００２８】
そして、折り畳み式携帯無線機１００に閉状態で着信があった場合、第２液晶表示部１５１に表示された相手を確認した後、第１筐体１０１と第２筐体１０２を開状態にして通話できるようになっている。またメールを送受信する場合も、開状態にて情報入力ボタン１４０を操作して第１液晶表示部１５０に表示される文字を操作する。通話またはメールの送受信が終了したならば再び折り畳み式携帯無線機１００を閉状態にして衣服のポケットまたはカバン等に収納するようになる。
このようにヒンジ部１３０を中心とする開閉動作は通話またはメール送受信のたびに繰り返し行われることになる。
【００２９】
図３は本発明の実施形態における折り畳み式携帯無線機のヒンジ部の内部構成を示す平面図であり、ヒンジ部１３０についてより詳細に説明する。
上述したようにヒンジ部１３０では第２筐体１０２の凹部に第１筐体１０１の凸部が嵌まり込むように組み合わさっている。
【００３０】
ヒンジ部１３０の回転軸心Ｘにはヒンジ軸ユニット１０３と絶縁性円筒軸１０４が配置されている。
ヒンジ軸ユニット１０３は円筒ケース１０８、固定カム１１０、可動カム１０９、圧縮バネ１０６、シャフト１０７等から構成されている。構成部品の材質はすべて金属である。
【００３１】
固定カム１１０と円筒ケース１０８は軸心Ｘを中心に相対的に見て回転可能なようになっている。シャフト１０７は固定カム１１０に接合されていて同時に回転する。また、シャフト１０７は円筒ケース１０８に対しては回転可能なように固定されている。
可動カム１０９の中心には穴が開いていてシャフト１０７が貫通している。シャフト１０７の外周面にはＤカットが施されており、円筒ケース１０８の内周面にもそれに対応するように平坦部が設けられている。このため可動カム１０９は円筒ケース１０８に対して、軸心Ｘの方向にスライドして動くことは可能であるが軸心Ｘを中心に回転することはない。さらに可動カム１０９は圧縮バネ１０６の反発力により固定カム１１０の方向に常に押し付けられている。
【００３２】
可動カム１０９と固定カム１１０は当接面が互いに嵌り合うように各々山部と谷部を有しており、特定の位置で山部と谷部が嵌り合って状態を固定できるようになっている。可動カム１０９と円筒ケース１０８は同位相で回転するため、円筒ケース１０８の外周を固定して固定カム１１０を捻るように軸心中心に外部から強い回転力を加えると、カムの山部と谷部のスロープがぶつかり合って、可動カム１０９を圧縮バネ１０６側に押し返す力が生じ、山と谷の嵌り合いが解除される。
【００３３】
このようにヒンジ軸ユニット１０３は固定カム１１０と円筒ケース１０８が軸心中心に捻り動作可能であり、特定角度でその位相は固定され、またさらに強い一定以上の回転力を加えれば固定が解除されるようになっている。
ヒンジ部１３０内においては、ヒンジ軸ユニット１０３は円筒ケース１０８の外周部分が第１筐体１０１の凸部の側面に設けられた穴１０１ａに挿入され、動かないように固定されている。もう一方の固定カム１１０の外周部分は第２筐体１０２の凹部の内側側面１０２ａに動かないように固定されている。
【００３４】
このような構造にすることで第１筐体１０１と第２筐体１０２がヒンジ部１３０の軸心Ｘを中心に回転することが可能になるとともに、開状態、閉状態で位置が固定され、一定以上の力を加えなければその状態が維持され、また一定以上の力を加えれば開状態から閉状態へ、閉状態から開状態への形態の変化を生じさせることが可能になっている。
上述したようにヒンジ軸ユニット１０３は折り畳み式携帯無線機１００の開閉動作の支軸になるとともにトルクを発生させ開閉状態を維持する機能を果たしている。
【００３５】
一方、絶縁性円筒軸１０４はヒンジ部１３０のヒンジ軸ユニット１０３が配置された側の反対側に配置され、第２筐体１０２の凹部の内側側面１０２ｂに一端が固定される。もう一方の端は第１筐体１０１の凸部の側面に設けられた円筒状軸受け部１０１ｂに挿入され、回転動作可能な形で配置されている。
絶縁性円筒軸１０４は摺動抵抗の低い樹脂、例えばＰＯＭ、ポリプロピレン、ポリアミド等で形成され、摺動面１０４ａで円筒状軸受け部１０１ｂとの間で軸と軸受けの関係で摺動回転動作をする。
【００３６】
次にアンテナに関する部分について説明する。
第１筐体１０１には金属プレート１２１が装着されている。金属プレート１２１には高い導電性を有し、かつ軽く高強度の金属、例えばステンレススチール、アルミニウム合金、マグネシウム合金等が用いられる。これらの金属を用いることで、第１筐体１０１は薄型で高強度な筐体を実現できるとともに、金属プレート１２１をアンテナ素子として動作させることが可能となる。
【００３７】
第２筐体１０２の内部には回路基板（図示せず）が設けられ、回路基板上には第１整合回路１１２、第１無線回路１１３が配置される。また、第１整合回路１１２には第１給電端子１１１が電気的に接続されている。
第１給電端子１１１は板バネになっており、金属部材１０５に接触押圧されることで導通を保っている。
【００３８】
金属部材１０５は絶縁性円筒軸１０４に固定され、絶縁性円筒軸１０４と一体となって動作する。金属部材１０５の露出面１０５ａは絶縁性円筒軸１０４の摺動面１０４ａより直径が小さくなっていて、第１筐体１０１にある円筒状軸受け部１０１ｂに関し、絶縁性円筒軸１０４が接触して摺動動作しているのに対し、金属部材１０５の露出面１０５ａは非接触になっている。
【００３９】
絶縁性円筒軸１０４および金属部材１０５は円筒形の中空構造になっている。このため内部に信号線１１８を通過させ、上下筐体間の基板をつなぐことが出来る。信号線の代わりに可撓性基板を用いることも可能である。
信号線１１８が金属部材１０５に近接するのを防ぐ為、固定部材１１９を使って固定することが出来る。固定部材１１９は樹脂、ゴム、スポンジ、テープ等の絶縁材料で出来ており、金属部材１０５を通過するアンテナ信号が信号線１１８の影響を受けることを抑制し、安定したアンテナ動作を可能とする。
【００４０】
金属部材１０５の露出面１０５ａに対向する部分には第１筐体１０１に配置された金属プレート１２１から延伸して金属板１１７が配置されている。金属板１１７と金属部材１０５の露出面１０５ａとの間で所定の容量性リアクタンスを発生させるように両者を配置することで、両者が電気的接触していない状態でも、容量結合することで信号の受け渡しが可能となり、高いアンテナ性能を確保することが可能となる。
【００４１】
一方、本実施形態では金属製であるヒンジ軸ユニット１０３もアンテナ素子として使用している。第２給電端子１１４はヒンジ軸ユニット１０３と電気的に接続されるとともに第２整合回路１１５を通じて第２無線回路１１６に繋がっており、無線アンテナとして動作している。
【００４２】
折り畳み式携帯無線機１００にて筐体の開閉動作を繰り返し行った場合、絶縁性円筒軸１０４の摺動面１０４ａと第１筐体１０１に設けられた円筒状軸受け部１０１ｂが摺動動作により次第に互いが削れ、樹脂の削り粉が発生する場合がある。このように削り粉が大量に発生した場合、摺動面に入り込んで摺動抵抗を増大させたり、キシミ音が発生することがある。
【００４３】
しかし、本発明のような構造をとった場合、図４（ｂ）に示すように樹脂の削り粉（樹脂粉）１２０は静電気を帯びている為、金属部材１０５の露出面１０５ａの表面に鏡像力により強固に付着する。また、金属部材１０５の露出面１０５ａの表面と第１筐体１０１に設けられた円筒状軸受け部１０１ｂの内壁との間には空隙が開いているため、樹脂粉１２０が第１筐体１０１に設けられた円筒状軸受け部１０１ｂの内壁と接触することは無く、摺動抵抗の増大やキシミ音の発生が抑制される。
【００４４】
金属部材１０５は図４（ａ）に示すように、金属部材１０５の露出面１０５ａの少なくとも一部を１０５ｂのように円筒外周部から凹ませることで樹脂粉１２０が第１筐体１０１に設けられた円筒状軸受け部１０１ｂと接触するのをさらに抑制することが出来る。この場合、第１筐体１０１に配置された金属板１１７に対向する部分以外に設置することで容量結合部分の電気的性能の劣化が起こることはない。
【００４５】
また、アンテナ素子として使用される金属プレート１２１と金属部材１０５の間は導電体を接触させて電気的導通を確保しているわけではないので、絶縁性である樹脂粉が入り込んで導通を阻害することが無く、繰り返しの開閉動作を行ってもアンテナ性能が劣化することがない。
【００４６】
また、図５のように、円筒状軸受け部１０１ｂと絶縁性円筒軸の摺動面１０４ａを緩やかなテーパ形状をなすよう構成することもできる。こうした場合、回転摺動動作時、円筒状軸受け部１０１ｂの内壁には絶縁性円筒軸の摺動面１０４ａを押し返す力Ｆ１が働くが、テーパがあることで両者の間では軸方向分力Ｆ２が発生する。このため、円筒状軸受け部１０１ｂに対して絶縁性円筒軸の摺動面１０４ａは矢印Ｎのように軸方向で微小に動作する。このことから樹脂粉が摺動面から掃きだされ、金属部材の露出面１０５ａに樹脂粉が移動しやすくなる。このため、樹脂粉１２０が摺動面に残ることが抑制され、摺動抵抗の増大やキシミ音の発生が抑制される。
【００４７】
また、図６のように絶縁性円筒軸の摺動面１０４ａの少なくとも一部に穴１０４ｂをあけ、金属部材１０５の表面を露出させることで、樹脂粉１２０をその部分で捕集することも可能である。このようにすれば、樹脂粉１２０が摺動面に残ることが抑制され、摺動抵抗の増大やキシミ音の発生が抑制される。
【産業上の利用可能性】
【００４８】
以上述べたように、本発明の折り畳み式携帯無線機によれば、筐体を大きくすることなく、繰り返し開閉動作を行っても安定した開閉動作ができるものであり、複数の筐体が開閉可能に連結された電子機器に有用である。
【符号の説明】
【００４９】
１００  折り畳み式携帯無線機
１０１  第１筐体
１０１ａ  第１筐体１０１の凸部の側面に設けられた穴
１０１ｂ  円筒状軸受け部
１０２  第２筐体
１０２ａ  第２筐体１０２の凹部の内側側面
１０２ｂ  第２筐体１０２の凹部の内側側面
１０３  ヒンジ軸ユニット
１０４  絶縁性円筒軸
１０４ａ  摺動面
１０５  金属部材
１０５ａ  金属部材１０５の露出面
１０５ｂ  露出面１０５ａの一部
１０６  圧縮バネ
１０７  シャフト
１０８  円筒ケース
１０９  可動カム
１１０  固定カム
１１１  第１給電端子
１１２  第１整合回路
１１３  第１無線回路
１１４  第２給電端子
１１５  第２整合回路
１１６  第２無線回路
１１７  金属板
１１８  信号線
１１９  固定部材
１２０  樹脂の削り粉
１２１  金属プレート(アンテナ素子)
１３０  ヒンジ部
１３１  半円筒状の凸部
１３２  凹部
１４０  情報入力ボタン
１５０  第１液晶表示部
１５１  第２液晶表示部
１６０  送話部（マイクロフォン）
１７０  受話部（レシーバー）
【図１】
2012216977.tif 000003
【図２】
2012216977.tif 000004
【図３】
2012216977.tif 000005
【図４】
2012216977.tif 000006
【図５】
2012216977.tif 000007
【図６】
2012216977.tif 000008